(57)【特許請求の範囲】
【請求項１】
房水を排出するための緑内障チューブにおいて、
房水が流通する管部と、
前記管部の入口部に設けられ、流入する房水の流れに応じて往復動するように変位する変位体と
を備える緑内障チューブ。
【請求項２】
前記変位体は、心臓弁状に構成されている請求項１に記載の緑内障チューブ。
【請求項３】
前記変位体は、フィブリン膜と同等の物理的性質を有する請求項１又は２に記載の緑内障チューブ。
【発明の詳細な説明】
【技術分野】
【０００１】
本開示は、眼内の房水を排出するための緑内障チューブに関する。
【背景技術】
【０００２】
緑内障チューブは、特許文献１に記載されているように、眼内に挿入されて眼内の房水を排出する管である。
【先行技術文献】
【特許文献】
【０００３】
【特許文献１】米国特許第７４３１７０９号明細書
【発明の概要】
【発明が解決しようとする課題】
【０００４】
本開示は、緑内障チューブを用いたシャント手術後、眼科医が、手術後の眼の健康状態を推し量ることが可能となり、かつ、運動と眼圧下降効果との関係を明確に評価することが可能となる緑内障チューブの一例を開示する。
【課題を解決するための手段】
【０００５】
本開示に係る緑内障チューブは、発明者である医師が２０２１年に開催されたWorld Glaucoma Congress（世界緑内障会議）で発表した内容に示された知見を基礎とするものである。
【０００６】
なお、当該内容は、同年の世界緑内障会議におけるフィルムフェスティバルで世界第３位を受賞した動画として発表され、かつ、その詳細は、Medicine (Baltimore)に掲載された論文として発表されている。
【０００７】
そして、当該知見を基礎とする緑内障チューブであって、房水を排出するための緑内障チューブは、例えば、房水が流通する管部（２）と、管部（２）の入口部に設けられ、流入する房水の流れに応じて往復動するように変位する変位体（３）とを備えることが望ましい。
【０００８】
これにより、緑内障チューブを用いたシャント手術後、眼科医が、変位体（３）の動きを観察することにより、手術後の眼の健康状態を推し量ることが可能となるとともに、運動と眼圧下降効果との関係を明確に評価することが可能となり得る。
【０００９】
なお、変位体（３）は、心臓弁状に構成されていることが望ましい。これにより、心臓外科医が、心臓弁の状態から健康状態を評価する際の知見を応用して運動と眼圧下降効果との関係を明確に評価することが可能となり得る。
【００１０】
また、変位体（３）は、フィブリン膜と同等の物理的性質を有することが望ましい。これにより、弾力性のある変位体（３）を得ることが可能となる。
【００１１】
因みに、上記各括弧内の符号は、後述する実施形態に記載の具体的構成等との対応関係を示す一例であり、本開示は上記括弧内の符号に示された具体的構成等に限定されない。
【図面の簡単な説明】
【００１２】
【図１】第１実施形態に係る緑内障チューブを示す図である。
【発明を実施するための形態】
【００１３】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されない。
【００１４】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示された緑内障チューブは、少なくとも符号が付されて説明された部材又は部位等の構成要素、並びに図示された構造部位を備える。
【００１５】
（第１実施形態）
＜１．緑内障チューブの構成＞
本実施形態に係る緑内障チューブ１は、図１に示されるように、管部２及び変位体３等を少なくとも備える。管部２は、眼内の房水が流通するチューブである。なお、管部２は、当該管部２の入口部２Ａが眼球内に位置するように施術される。
【００１６】
変位体３は、フィン、つまり鰭（ヒレ）状の薄膜であって、管部２の入口部２Ａに設けられている。当該変位体３は、図１の実線及び二点鎖線で示されるように、流入する房水の流れに応じて往復動するように変位する。
【００１７】
なお、管部２及び変位体３は、例えば、ＳＩＢＳ材料等の軟質な樹脂製である。変位体３は、例えば、管部２に一体成形された一体品、又は別部材として製造された後、管部２に接合されて管部２に一体化された構成である。
【００１８】
変位体３は、例えば、心臓弁状に構成されていることが望ましい。心臓弁状に構成された変位体３とは、「変位体３が心臓弁を模した形状及び動作特性を有する」という意味である。そして、変位体３は、フィブリン膜と同等の物理的性質を有することが望ましい。
【００１９】
＜２．本実施形態に係る緑内障チューブの特徴等＞
本実施形態に係る緑内障チューブ１は、２０２１年に開催されたWorld Glaucoma Congress（世界緑内障会議）におけるフィルムフェスティバルで世界第３位を受賞した動画に示された知見を基礎とするものである。
【００２０】
因みに、上記の動画の簡略版は、以下のＵＲＬにて確認可能である。
https://www.youtube.com/watch?v=srLSBEmm4Ew
上記動画の内容を詳述した論文は、以下のＵＲＬにて参照可能である。
https://journals.lww.com/md-journal/Fulltext/2021/07090/Heart_rhythm_synchronized_fibrin_flap_in_a.50.aspx
なお、World Glaucoma Congress（世界緑内障会議）とは、緑内障科学とケアのための独立した、公平な、倫理的な、グローバルな組織である。そして、世界緑内障会議の主な目的は、世界中の緑内障をなくすことである。
【００２１】
世界緑内障会議の構成員及び意思決定者（以下、これらを総称して構成員という。）は、全て医療従事者である。そして、世界緑内障会議の構成員は、日々の高いレベルの臨床や研究を続けながら、世界緑内障会議のために時間と専門知識を提供している。
【００２２】
また、世界緑内障会議の構成員の全ては、緑内障の分野において世界的に有名な専門家である。このため、これら構成員の意見は日常的に求められており、かつ、彼らの論文は定期的に出版され、参照されている。つまり、世界緑内障会議に発表される内容は、緑内障医学の進歩に寄与する高品質の実証に基づく科学の源である。
【００２３】
そして、本実施形態に係る緑内障チューブ１は、２０２１年の世界緑内障会議におけるフィルムフェスティバルで世界第３位を受賞した動画、及びMedicine (Baltimore)に掲載された論文に示された知見に基づく発明である。
【００２４】
具体的には、当該発明に係る緑内障チューブでは、管部２の入口部２Ａに、流入する房水の流れに応じて往復動可能なフィン状の変位体３が設けられている。
【００２５】
これにより、緑内障チューブ１を用いたシャント手術後、眼科医が、変位体３の動きを観察することにより、手術後の眼の健康状態を推し量ることが可能となるとともに、運動と眼圧下降効果との関係を明確に評価することが可能となり得る。
【００２６】
変位体３は、心臓弁状に構成されていることが望ましい。これにより、心臓外科医が、心臓弁の状態から健康状態を評価する際の知見を応用して運動と眼圧下降効果との関係を明確に評価することが可能となり得る。
【００２７】
すなわち、発明者が世界緑内障会議にて発表した論文及び動画に示されていたように、緑内障チューブが挿入された患者の観察においては、房水が管部に流入する際に、フィブリンにて形成されたフィン（フラップ）状の変位体が心臓弁のごとく挙動することが確認された。したがって、心臓外科医が、心臓弁の状態から健康状態を評価する際の知見を応用して運動と眼圧下降効果との関係を明確に評価することが可能となり得る。
【００２８】
（その他の実施形態）
上述の実施形態では、変位体３と管部２とが一体化されていた。しかし、本開示はこれに限定されない。すなわち、当該開示は、例えば、変位体３と管部２とが別体であってもよい。
【００２９】
さらに、本開示は、上述の実施形態に記載された開示の趣旨に合致するものであればよく、上述の実施形態に限定されない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成であってもよい。
【符号の説明】
【００３０】
１… 緑内障チューブ
２… 管部
【要約】
【課題】  緑内障チューブを用いたシャント手術後、眼科医が、手術後の眼の健康状態を推し量ることが可能となり、かつ、運動と眼圧下降効果との関係を明確に評価することが可能となる緑内障チューブの一例を開示する。
【解決手段】  緑内障チューブ１は、管部２の入口部２Ａに、流入する房水の流れに応じて往復動可能なフィン状の変位体３を有する。これにより、緑内障チューブ１を用いたシャント手術後、眼科医が、変位体３の動きを観察することにより、手術後の眼の健康状態を推し量ることが可能となるとともに、運動と眼圧下降効果との関係を明確に評価することが可能となり得る。
【選択図】図１【図１】
0006971003.tif 000002